(57)【要約】【課題】患者の所望する形態で医用画像を印刷できるようにする。【解決手段】画像形成装置（１０）は、ＤＩＣＯＭ規格に基づいてＡＥＴの指定と共に送信された、医用画像データを含む医用データを受信するデータ受信部（１５）と、指定されたＡＥＴに基づいて、媒体の第１の面に表紙と裏表紙とを割り付けて印刷し、当該媒体の前記第１の面とは反対の第２の面に、医用画像を含むページを割り付けて印刷する印刷処理部（１６，１７，１８）とを備える。【選択図】図２
2016103737.tif 000002
【特許請求の範囲】
【請求項１】
ＳＣＵからＤＩＣＯＭ規格に基づいてＡＥＴの指定と共に送信された、医用画像データを含む医用データを受信するデータ受信部と、
指定されたＡＥＴに基づいて、媒体の第１の面に表紙と裏表紙とを割り付けて印刷し、当該媒体の前記第１の面とは反対の第２の面に、医用画像を含むページを割り付けて印刷する印刷処理部と
を備えたことを特徴とする画像形成装置。
【請求項２】
前記印刷処理部は、医用画像を含むページが複数ページにわたる場合には、製本印刷形式に合わせてページを並び替えて印刷すること
を特徴とする請求項１に記載の画像形成装置。
【請求項３】
前記印刷処理部は、表紙、裏表紙、および医用画像を含むページの合計ページ数が４の倍数に満たない場合には、前記合計ページ数を４で除算した余りを４から引いた数だけ、調整用ページを挿入することを特徴とする請求項１または２に記載の画像形成装置。
【請求項４】
前記印刷処理部は、
指定されたＡＥＴに基づいて医用画像データをページに配置したページデータを作成するページデータ作成部と、
前記ページデータを用い、指定されたＡＥＴに基づいて印刷ジョブを作成する印刷ジョブ作成部と、
前記印刷ジョブに基づいて媒体の両面に印刷を行う出力部と
を備えることを特徴とする請求項１から３までのいずれか１項に記載の画像形成装置。
【請求項５】
複数のＡＥＴのそれぞれについて、医用画像の印刷に関する印刷設定情報を記憶する記憶部をさらに備えたことを特徴とする請求項１から４までのいずれか１項に記載の画像形成装置。
【請求項６】
前記記憶部は、複数のＡＥＴのそれぞれについて、さらに、表紙、裏表紙および調整用ページを作成するための画像データを記憶していることを特徴とする請求項５に記載の画像形成装置。
【請求項７】
印刷設定情報を設定するためのＷｅｂサービスを提供するＷｅｂサービス部と、
設定された印刷記憶情報を前記記憶部に記憶する設定部と
をさらに備えたことを特徴とする請求項５または６に記載の画像形成装置。
【請求項８】
前記Ｗｅｂサービス部は、さらに、表紙、裏表紙および調整用ページを作成するための画像データを設定するためのＷｅｂサービスを提供し、
設定された画像データを前記記憶部に記憶する画像データ設定部をさらに備えたことを特徴とする請求項７に記載の画像形成装置。
【請求項９】
前記印刷処理部は、前記データ受信部が受信した医用データから情報を抽出し、抽出した情報に基づいて印刷を行うことを特徴とする請求項１から８までのいずれか１項に記載の画像形成装置。
【請求項１０】
前記印刷処理部が医用データから抽出する情報は、印刷関連情報を規定する付帯情報であり、
前記印刷処理部は、付帯情報に基づいて医用画像を含むページを媒体に印刷することを特徴とする請求項９に記載の画像形成装置。
【請求項１１】
前記印刷処理部が医用データから抽出する情報は、患者に関連する付帯情報であり、
前記印刷処理部は、付帯情報を媒体に印刷することを特徴とする請求項９に記載の画像形成装置。
【請求項１２】
前記印刷処理部は、医用画像を含むページの少なくとも１つに、医用画像と重畳して付帯情報を印刷することを特徴とする請求項１１に記載の画像形成装置。
【請求項１３】
前記印刷処理部は、医用画像を含むページの少なくとも１つに、医用画像と重畳しないように付帯情報を印刷することを特徴とする請求項１０に記載の画像形成装置。
【請求項１４】
前記印刷処理部は、表紙または裏表紙に、医用画像と重畳しないように付帯情報を印刷することを特徴とする請求項１１に記載の画像形成装置。
【請求項１５】
付帯情報の印刷を行うか否か、および、付帯情報を印刷するページを設定するための設定部をさらに備えたことを特徴とする請求項１２から１４までのいずれか１項に記載の画像形成装置。
【請求項１６】
医用画像データと付帯情報とを含む医用データを受信するデータ受信部と、
前記医用データに含まれる付帯情報に基づいて、媒体の第１の面に表紙と裏表紙とを割り付けて印刷し、当該媒体の前記第１の面とは反対の第２の面に、医用画像を含むページを割り付けて印刷する印刷処理部と
を備えたことを特徴とする画像形成装置。
【請求項１７】
前記付帯情報は、ページにおける医用画像のレイアウトの情報であることを特徴とする請求項１６に記載の画像形成装置。
【請求項１８】
前記付帯情報は、医用データに関連する情報であることを特徴とする請求項１６に記載の画像形成装置。
【請求項１９】
前記医用データは、ＤＩＣＯＭ規格に基づくデータであることを特徴とする請求項１６から１８までのいずれか１項に記載の画像形成装置。
【発明の詳細な説明】
【技術分野】
【０００１】
この発明は、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に準拠した医用データを受信し、媒体に印刷する画像形成装置に関する。
【背景技術】
【０００２】
従来より、モダリティで撮影した医用画像を、ＤＩＣＯＭ規格に基づいてデータ化し、ＤＩＣＯＭ規格に基づいて画像形成装置に送信して媒体に印刷する技術が知られている（例えば、特許文献１）。
【先行技術文献】
【特許文献】
【０００３】
【特許文献１】特開２００２−１９０９３７号公報（要約）
【発明の概要】
【発明が解決しようとする課題】
【０００４】
近年、医用画像を媒体に印刷して患者に渡すニーズがあり、患者が所望する形式で医用画像を印刷できるようにすることが望まれている。
【０００５】
本件は、上記の課題を解決するためになされたものであり、患者が所望する形式で医用画像を印刷できるようにすることを目的とする。
【課題を解決するための手段】
【０００６】
本発明に係る画像形成装置は、ＳＣＵからＤＩＣＯＭ規格に基づいてＡＥＴの指定と共に送信された、医用画像データを含む医用データを受信するデータ受信部と、指定されたＡＥＴに基づいて、媒体の第１の面に表紙と裏表紙とを割り付けて印刷し、当該媒体の第１の面とは反対の第２の面に、医用画像を含むページを割り付けて印刷する印刷処理部とを備える。
【０００７】
本発明に係る画像形成装置は、また、医用画像データと付帯情報とを含む医用データを受信するデータ受信部と、医用データに含まれる付帯情報に基づいて、媒体の第１の面に表紙と裏表紙とを割り付けて印刷し、当該媒体の第１の面とは反対の第２の面に、医用画像を含むページを割り付けて印刷する印刷処理部とを備える。
【発明の効果】
【０００８】
本発明によれば、患者が所望する形式で医用画像を印刷することができる。
【図面の簡単な説明】
【０００９】
【図１】本発明の第１の実施の形態における画像形成装置を含む印刷処理システムの基本構成を示すブロック図である。
【図２】第１の実施の形態における画像形成装置の構成を示すブロック図である。
【図３】ＤＩＣＯＭデータの要部を説明するための模式図である。
【図４】第１の実施の形態におけるＡＥＴ登録画面を示す図である。
【図５】第１の実施の形態におけるＡＥＴ編集画面を示す図である。
【図６】第１の実施の形態における表紙画像（Ａ）、裏表紙画像（Ｂ）および調整用画像（Ｃ）の例を示す図である。
【図７】第１の実施の形態における製本印刷画像データ登録画面を示す図である。
【図８】第１の実施の形態における画像形成装置の基本動作を示すフローチャートである。
【図９】第１の実施の形態における印刷ジョブ作成部の処理を示すフローチャートである。
【図１０】第１の実施の形態における画像形成装置の印刷結果の例を示す模式図（Ａ）〜（Ｊ）である。
【図１１】医用画像を各ページに２行３列で配置した場合の印刷結果の例を示す模式図（Ａ）〜（Ｄ）である。
【図１２】第１の実施の形態の変形例における印刷結果の例を示す模式図（Ａ）〜（Ｄ）である。
【図１３】第１の実施の形態の変形例における印刷結果の別の例を示す模式図（Ａ）〜（Ｄ）である。
【図１４】第１の実施の形態の変形例における印刷結果のさらに別の例を示す模式図である。
【図１５】第１の実施の形態の変形例における印刷結果のさらに別の例を示す模式図である。
【図１６】第１の実施の形態の変形例におけるＡＥＴ編集画面を示す図である。
【図１７】第１の実施の形態の変形例における画像装置の記憶部を示すブロック図である。
【図１８】第１の実施の形態の変形例における画像形成装置の基本動作を示すフローチャートである。
【発明を実施するための形態】
【００１０】
第１の実施の形態．
従来、医療画像診断では、アナログ画像（例えばレントゲン写真）をフィルムなどに印刷したものを用いて診断が行われていた。これに対し、現在では、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠して、デジタル画像と、患者情報および撮影日などの付帯情報とを含む医用データ（ＤＩＣＯＭデータ）を作成し、ＤＩＣＯＭ規格に基づいてネットワーク経由で送信し、高解像度モニタなどに画像を表示して診断を行うことが主流となっている。
【００１１】
近年、インフォームドコンセントの一般化に伴い、ＤＩＣＯＭデータを画像形成装置に送信し、普通紙などの媒体に医用画像を印刷して患者に渡すニーズがある。このように媒体に医用画像を印刷して患者に渡す場合、医用画像が第三者の目に触れるような形式で渡すことは、プライバシー保護の観点から好ましくない。
【００１２】
そのため、医用画像を印刷した媒体を封筒に入れてから患者に渡すか、または、医用画像を印刷した媒体の上に、別途印刷した表紙を重ねてステープラーあるいはクリップで留めて患者に渡す必要がある。しかしながら、封筒を用意するのではコストが増加し、表紙を別途印刷するのでは作業効率が低い。
【００１３】
そこで、本発明の第１の実施の形態では、画像形成装置が、モダリティなどのＳＣＵ（Ｓｅｒｖｉｃｅ  Ｃｌａｓｓ  Ｕｓｅｒ）から、ＡＥＴ（Ａｐｐｌｉｃａｔｉｏｎ  Ｅｎｔｉｔｙ  Ｔｉｔｌｅ）の指定と共にＤＩＣＯＭデータを受信すると、指定されたＡＥＴに応じて医用画像を媒体に割り付けて印刷する。印刷後の媒体を小冊子（ブックレット）のように折り畳めば、医用画像が第三者の目に触れないようにすることができ、患者のプライバシーを保護することができる。
【００１４】
以下では、本発明の第１の実施の形態における画像形成装置の具体的な構成例について、画像形成装置を含む印刷処理システムと合わせて説明する。
【００１５】
＜印刷処理システムの全体構成＞
図１は、第１の実施の形態における画像形成装置１０を含む印刷処理システム１の全体構成を示す構成図である。印刷処理システム１は、画像形成装置（印刷装置）１０と、モダリティ２００と、画像保存通信システム３００と、情報処理装置４００と、これらを互いに接続するネットワーク１００とを有している。
【００１６】
画像形成装置１０は、記憶装置１０ａと、画像形成部１０ｂと、媒体搬送部１０ｃを備えている。記憶装置１０ａは、後述する各情報を記憶するものであり、例えば、ハードディスクドライブなどの外部記憶装置で構成されている。画像形成部１０ｂは、例えば電子写真法によって画像を媒体に印刷するものである。媒体搬送部１０ｃは、印刷トレイに収容した媒体を画像形成部１０ｂに搬送するものである。この媒体搬送部１０ｃは、両面印刷のため、媒体を、表裏を反転して画像形成部１０ｂを２度通過させる機能を有するものである。画像形成装置１０の他の構成要素（図２）については、後述する。
【００１７】
モダリティ２００は、画像を撮影し、ＤＩＣＯＭ規格に準拠して、医用画像データを含むＤＩＣＯＭデータ（医用データ）を生成し、ＤＩＣＯＭ規格に則って、ネットワーク１００を介して、指定した装置（例えば画像形成装置１０）に送信するものである。また、モダリティ２００は操作パネルを有しており、ユーザ（例えば医師）の操作により、画像形成装置１０にサービス要求（医用画像の印刷要求）を送ることができる。
【００１８】
モダリティ２００としては、例えば、超音波診断装置（Ｅｃｈｏｇｒａｐｈｙ）、コンピュータ断層装置（ＣＴ：Ｃｏｍｐｕｔｅｄ  Ｔｏｍｏｇｒａｐｈｙ）またはＭＲＩ（Ｍａｇｎｅｔｉｃ  Ｒｅｓｏｎａｎｃｅ  Ｉｍａｇｉｎｇ）装置がある。
【００１９】
画像保存通信システム３００は、モダリティ２００から送信されたＤＩＣＯＭデータを受信してデータベースに保存して管理し、印刷処理システム１に属する他の装置（例えば情報処理装置４００）からの要求に応じてデータベースからＤＩＣＯＭデータを呼び出して送信するシステムである。この画像保存通信システム３００は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）とも呼ばれる。
【００２０】
情報処理装置４００は、例えばパーソナルコンピュータであり、Ｗｅｂブラウザを備えている。この情報処理装置４００は、例えば、後述するＡＥＴ（Ａｐｐｌｉｃａｔｉｏｎ  Ｅｎｔｉｔｙ  Ｔｉｔｌｅ）の設定を行う際に用いる。
【００２１】
＜画像形成装置の構成＞
図２は、第１の実施の形態における画像形成装置１０の構成を示すブロック図である。画像形成装置１０は、通信部１１と、Ｗｅｂサーバ部１２と、ＡＥＴ設定部１３と、製本印刷画像データ設定部１４と、ＤＩＣＯＭデータ受信部１５と、ページデータ作成部１６と、印刷ジョブ作成部１７と、出力部１８とを備えている。なお、画像形成装置１０が、記憶装置１０ａと画像形成部１０ｂと媒体搬送部１０ｃとを備えていることは、図１を参照して説明したとおりである。
【００２２】
通信部１１は、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｐｃｏｌ）により、ネットワーク１００を介して、モダリティ２００、画像保存通信システム３００および情報処理装置４００との通信を行う。
【００２３】
Ｗｅｂサーバ部１２は、情報処理装置４００のＷｅｂブラウザに対して、通信部１１を介して、ＨＴＴＰ（Ｈｙｐｅｒｔｅｘｔ  Ｔｒａｎｓｆｅｒ  Ｐｒｏｔｏｃｏｌ）によりＷｅｂサービスを提供する。このＷｅｂサービスにより、ユーザは、情報処理装置４００を操作してＡＥＴの設定（図５）、および製本印刷に関する画像データの設定（図７）を行うことができる。
【００２４】
ＡＥＴ設定部１３（設定部）は、Ｗｅｂサーバ部１２が提供したＷｅｂサービスにより情報処理装置４００で設定されたＡＥＴ設定データ（図５）を、ＡＥＴ設定データ１０２として記憶装置１０ａに保存し、または必要に応じて記憶装置１０ａから削除する。
【００２５】
製本印刷画像データ設定部１４（画像データ設定部）は、Ｗｅｂサーバ部１２が提供したＷｅｂサービスにより情報処理装置４００で設定された製本印刷に関する画像データ（図７）を、製本印刷画像データ１０３として記憶装置１０ａに保存し、または必要に応じて記憶装置１０ａから削除する。
【００２６】
ＤＩＣＯＭデータ受信部１５（データ受信部）は、ＤＩＣＯＭ規格に則って、モダリティ２００および画像保存通信システム３００などのＳＣＵ（Ｓｅｒｖｉｃｅ  Ｃｌａｓｓ  Ｕｓｅｒ）から、ＡＥＴを指定したサービス要求（医用画像の印刷要求）を受け取り、当該ＳＣＵとのセッションを確立してＳＣＵから送信されるＤＩＣＯＭデータを受信する。
【００２７】
ページデータ作成部１６は、ＤＩＣＯＭデータ受信部１５が受信したＤＩＣＯＭデータに含まれる医用画像データを、ＤＩＣＯＭデータに含まれる付帯情報に基づいてページに配置し、そのデータを印刷ページデータ１０１としてページ毎に記憶装置１０ａに保存する。
【００２８】
印刷ジョブ作成部１７は、印刷ページデータ１０１と、ＡＥＴ設定データ１０２と、製本印刷画像データ１０３とを用いて、ＰＤＬ（Ｐａｇｅ  Ｄｅｓｃｒｉｐｔｉｏｎ  Ｌａｎｇｕａｇｅ）により印刷ジョブを作成する。
【００２９】
出力部１８は、印刷ジョブ作成部１７が出力した印刷ジョブに基づき、画像形成部１０ｂおよび媒体搬送部１０ｃを制御して、画像を媒体に印刷する。なお、ページデータ作成部１６、印刷ジョブ作成部１７および出力部１８は、「印刷処理部」を構成している。
【００３０】
画像形成部１０ｂは、どのような印刷方式を用いたものでもよいが、高精細な医用画像を印刷する上では、電子写真法が望ましい。電子写真法を用いる場合、画像形成部１０ｂは、ＬＥＤ（発光ダイオード）によって潜像担持体（例えば感光体ドラム）の表面に潜像を形成し、潜像をトナー（現像剤）で現像したのち媒体に転写し、熱定着する。
【００３１】
媒体搬送部１０ｃは、出力部１８の指示に基づき、印刷トレイに収容した媒体を画像形成部１０ｂに供給する。また、画像形成部１０ｂが媒体の表面に印刷を行った後に、媒体の表裏を反転させて再び画像形成部１０ｂに供給することにより、媒体の両面に印刷を行う。
【００３２】
以上の構成により、画像形成装置１０は、モダリティ２００および画像保存通信システム３００などのＳＣＵに対し、サービス要求に応じたサービス（医用画像の印刷）を提供するＳＣＰ（Ｓｅｒｖｉｃｅ  Ｃｌａｓｓ  Ｐｒｏｖｉｄｅｒ）として機能する。
【００３３】
＜ＤＩＣＯＭデータ＞
図３は、ＤＩＣＯＭデータの要部を示す概略図である。図３（Ａ）に示すＤＩＣＯＭデータは、ＳＣＵがＳＣＰである画像形成装置１０に対して医用画像の印刷を要求する場合に送信するデータである。図３（Ａ）に示すＤＩＣＯＭデータは、医用画像データＤ１〜Ｄｎと、これに関連する付帯情報Ｃ１とを含んでいる。
【００３４】
医用画像データＤ１〜Ｄｎは、超音波診断装置などのモダリティ２００で撮影した画像を、ＤＩＣＯＭ規格に基づいてデータ化したピクセルデータを含む。ＤＩＣＯＭデータに含まれる医用画像データは１つの場合もあり（ｎ＝１）、また、複数の場合もある。
【００３５】
付帯情報Ｃ１は、医用画像を印刷する媒体の種類、ページサイズ（例えばＡ４サイズ）、および、ページにどのように配置するかという情報（レイアウト情報）などを含む印刷関連情報である。レイアウト情報は、例えば１ページに１つの画像を配置する、あるいは、１ページに画像を２行３列（２×３）に配置する、といった情報である。
【００３６】
なお、ＳＣＵがＳＣＰに対して医用画像の保存を要求する場合に送信するＤＩＣＯＭデータは、図３（Ｂ）に示すように、印刷関連情報を含む付帯情報Ｃ１ではなく、医用データに関連する情報、例えば患者に関連する情報（患者名、患者の年齢および撮影日など）を含む付帯情報Ｃ２を有している。図３（Ｂ）に示すＤＩＣＯＭデータの利用については、後述する変形例で説明する。
【００３７】
＜ＡＥＴの設定＞
次に、ＡＥＴの設定について説明する。ＳＣＰである画像形成装置１０は、複数のＡＥＴを提供することが可能であり、それぞれのＡＥＴの設定を記憶装置１０ａにＡＥＴ設定データ１０２として記憶している。ＳＣＵ（モダリティ２００または画像保存通信システム３００）は、画像形成装置１０に対し、ＡＥＴを指定してサービス要求を行う。
【００３８】
画像形成装置１０が提供するＡＥＴの情報は、ユーザが、情報処理装置４００を用いて予め設定することができる。具体的には、情報処理装置４００のＷｅｂブラウザから画像形成装置１０のＷｅｂサーバ部１２が提供するＵＲＬにアクセスして、ＡＥＴの設定を行う。
【００３９】
図４は、第１の実施の形態におけるＡＥＴ登録画面２０を示す図である。このＡＥＴ登録画面２０は、情報処理装置４００の表示部（ディスプレイ）に表示される。ＡＥＴ登録画面は、ＡＥＴリスト２１と、新規ボタン２２と、編集ボタン２３と、削除ボタン２４とを有している。
【００４０】
ＡＥＴリスト２１には、現在登録されているＡＥＴのリストが表示される。例えば、超音波診断装置で撮影された画像を印刷するＡＥＴには、「ＦｏｒＵｌｔｒａＳｏｕｎｄ」というＡＥＴ名が付されており、Ｘ線撮影装置で撮影された画像を印刷するＡＥＴには、「ＦｏｒＸｒａｙ」というＡＥＴ名が付されている。
【００４１】
新規ボタン２２は、ＡＥＴリスト２１にユニークな名前のＡＥＴを追加する際に押すボタンである。図４に示した例では、ＮｅｗＡＥＴ（１）というユニークな名前のＡＥＴがＡＥＴリスト２１に追加されている。もう一度新規ボタン２２を押すと、ＮｅｗＡＥＴ（２）というユニークな名前のＡＥＴがＡＥＴリスト２１に追加される。  
【００４２】
編集ボタン２３は、ＡＥＴリスト２１で選択したＡＥＴの設定を変更する際に押すボタンである。編集ボタン２３を押すと、後述のＡＥＴ編集画面３０（図５）に移行する。削除ボタン２４は、ＡＥＴリスト２１で選択したＡＥＴを削除する際に押すボタンである。
【００４３】
図５は、第１の実施の形態におけるＡＥＴ編集画面３０を示す図である。図５に示すＡＥＴ編集画面３０は、ＡＥＴの編集（設定）を行うためのものであり、ユーザがＡＥＴ登録画面２０（図４）の編集ボタン２３を押すことにより、情報処理装置４００の表示部に表示される。
【００４４】
ＡＥＴ編集画面３０は、編集対象であるＡＥＴ名を表示するＡＥＴ名３１と、コントラスト３２、明度３３、使用トレイ３４、製本印刷形式指定３５、表紙画像３６、裏表紙画像３７、調整用画像３８の各設定部を有している。ＡＥＴ編集画面３０は、また、ファイル登録３９、保存ボタン４０およびキャンセルボタン４１を有している。
【００４５】
ＡＥＴ名３１は、ＡＥＴ登録画面２０のＡＥＴリスト２１で指定した編集対象のＡＥＴ名を表示すると共に、必要に応じてＡＥＴ名３１に表示した名称を変更することができるように文字入力が可能に構成されている。
【００４６】
コントラスト３２は、印刷される画像の明暗差を設定する設定部である。具体的には、画像の明暗差を−５〜＋５の尺度で指定できるよう構成されている。コントラスト３２において負の値を指定した際には、その絶対値が大きいほど明暗差の減少の度合いが増し、正の値を指定した際には、その絶対値が大きいほど明暗差の増加の度合いが増す。
【００４７】
明度３３は、印刷される画像の明度を設定する設定部である。具体的には、画像の明度を−５〜＋５の尺度で指定できるよう構成されている。明度３３において負の値を指定した際には、その絶対値が大きいほど画像の全体が暗くなり、正の値を指定した際にはその絶対値が大きいほど画像の全体が明るくなる。
【００４８】
使用トレイ３４は、印刷に使用する媒体を格納した印刷トレイを指定する設定部である。
【００４９】
製本印刷形式指定３５は、製本印刷形式での印刷を行うか行わないかを設定する設定部である。製本印刷形式、すなわち印刷後の媒体を折り畳むと小冊子（ブックレット）になる形式で印刷する場合には、製本印刷形式指定３５のチェックボックスにチェックを付ける。一方、製本印刷形式で印刷しない場合には、製本印刷形式指定３５のチェックボックスのチェックを外す。
【００５０】
製本印刷形式指定３５にチェックを付けて製本印刷を指定した場合は、媒体を折り畳んで小冊子にするため、医用画像を割り付けるページの２倍の大きさの媒体を格納したトレイを指定する必要がある。例えば、医用画像を印刷するページがＡ４サイズである場合には、媒体のサイズはＡ３となる。
【００５１】
表紙画像３６、裏表紙画像３７および調整用画像３８は、製本印刷形式指定３５にチェックを付けて製本印刷を指定した場合に、表紙、裏表紙および調整用ページに印刷する画像をそれぞれ設定する設定部である。
【００５２】
図６（Ａ）、（Ｂ）および（Ｃ）は、表紙に印刷する表紙画像７０、裏表紙に印刷する裏表紙画像７１、および調整用ページに印刷する調整用画像７２のデータ例を示す。
【００５３】
表紙画像７０は、媒体を折り畳んで小冊子とした場合に表紙となる画像データである。表紙画像７０は、例えば、ＡＥＴに対応する検査名、病院名、医科および医師名などの文字情報、並びにタイトル画像を含む。表紙画像７０のサイズは、媒体の１／２のサイズ（例えばＡ４サイズ）である。
【００５４】
裏表紙画像７１は、媒体を折り畳んで小冊子とした場合に裏表紙となる画像データである。裏表紙画像７１は、例えば、病院名、病院の住所および代表の電話番号（全科共通の情報）などの文字情報、並びにタイトル画像を含む。裏表紙画像７１のサイズは、媒体の１／２のサイズ（例えばＡ４サイズ）である。
【００５５】
調整用画像７２は、小冊子とするために挿入する調整用ページの画像データである。媒体を折り畳んで小冊子とするためには、１枚の媒体に表裏面を合わせて４ページが印刷されるため、全体のページ数は４の倍数であることが必要である。そのため、医用画像を配置するページ数に２ページ（表紙と裏表紙）を加え、さらに調整用ページのページ数を加えた総数が４の倍数となるように、０〜３枚の範囲で調整用ページを挿入する。この例では、調整用画像７２は、「Ｎｏｔｅｓ」という文字情報、およびノートのような罫線を含む。調整用画像７２のサイズは、表紙画像７０および裏表紙画像７１と同様、媒体の１／２のサイズ（例えばＡ４サイズ）である。
【００５６】
なお、図６（Ａ）、（Ｂ）および（Ｃ）に示した画像データはあくまでも例示であり、どのような画像を用いてもよい。
【００５７】
図５に戻り、ファイル登録３９は、表紙画像７０、裏表紙画像７１および調整用画像７２のそれぞれについて、画像形成装置１０に登録されている画像データを取得し、若しくは削除し、または新規登録するための製本印刷画像データ登録画面５０（図７）を表示する際に押すボタンである。製本印刷画像データ登録画面５０については後述する。
【００５８】
保存ボタン４０は、ＡＥＴ編集画面３０で入力した内容を確定し、画像形成装置１０の記憶装置１０ａにＡＥＴ設定データ１０２として保存するために押すボタンである。保存ボタン４０を押すと、ＡＥＴ編集画面３０で入力した内容を記憶装置１０ａにＡＥＴ設定データ１０２として保存したのち、ＡＥＴ編集画面３０（図５）からＡＥＴ登録画面２０（図４）に戻る。
【００５９】
なお、コントラスト３２および明度３３の設定内容は、図２に示したＡＥＴ設定部１３により、記憶装置１０ａに印刷画像調整設定１０２ａとして保存される。使用トレイ３４の設定内容は、図２に示したＡＥＴ設定部１３により、記憶装置１０ａに印刷トレイ設定１０２ｂとして保存される。
【００６０】
また、製本印刷形式指定３５の設定内容は、図２に示したＡＥＴ設定部１３により、記憶装置１０ａに印刷形式設定１０２ｃとして保存される。表紙画像３６、裏表紙画像３７および調整用画像３８の設定内容は、図２に示したＡＥＴ設定部１３により、記憶装置１０ａに製本印刷画像データファイル名１０２ｄとして保存される。これら印刷画像調整設定１０２ａ、印刷トレイ設定１０２ｂ、印刷形式設定１０２ｃおよび製本印刷画像データファイル名１０２ｄは、ＡＥＴ設定データ１０２（印刷設定情報）を構成している。
【００６１】
キャンセルボタン４１は、ＡＥＴ編集画面３０で入力した内容を破棄する際に押すボタンである。キャンセルボタン４１を押すと、ＡＥＴ編集画面３０で入力した内容を破棄したのち、ＡＥＴ登録画面２０（図４）に戻る。
【００６２】
＜製本印刷データの設定＞
図７は、第１の実施の形態における製本印刷画像データ登録画面５０を示す図である。製本印刷画像データ登録画面５０は、図５に示したＡＥＴ編集画面３０のファイル登録３９を押すことで、情報処理装置４００の表示部に表示される。
【００６３】
製本印刷画像データ登録画面５０は、表紙画像７０、裏表紙画像７１および調整用画像７２のそれぞれについて、画像形成装置１０の記憶装置１０ａに既に登録されている画像データを取得し、若しくは記憶装置１０ａから削除し、または画像データを記憶装置１０ａに新規登録するための画面である。
【００６４】
製本印刷画像データ登録画面５０は、表紙画像７０のデータの取得、削除および新規登録のため、取得ボタン５１と、削除ボタン５２と、登録ボタン５３と、表紙用ファイル名５４と、参照ボタン５５と、表紙画像データ登録リスト５６とを有している。
【００６５】
表紙画像データ登録リスト５６には、記憶装置１０ａに表紙画像１０３ａとして概に登録されている表紙画像データのリストが表示される。この例では、デフォルトの表紙画像データ、超音波診断装置用の表紙画像データ、およびＸ線撮影装置用の表紙画像データが登録されている。
【００６６】
取得ボタン５１は、選択した表紙画像データの内容を確認する際に押すボタンである。表紙画像データ登録リスト５６に表示された表紙画像データの一つを選択して取得ボタン５１を押すと、ファイル保存ダイアログが表示され、ファイルを取得して内容を確認することができる。
【００６７】
削除ボタン５２は、選択した表紙画像データを削除する際に押すボタンである。表紙画像データ登録リスト５６に表示された表紙画像データの一つを選択して削除ボタン５２を押すと、指定した表紙画像データが削除される。但し、当該表紙データを使用するように設定されたＡＥＴが存在する場合には、表紙データは削除されず、エラーが表示される。
【００６８】
参照ボタン５５は、情報処理装置４００内の任意のファイルを、新たに表紙画像データとして指定する際に押すボタンである。参照ボタン５５を押すと、ファイルを開くダイアログが表示され、情報処理装置４００内の任意のファイルを指定することができる。この際、表紙用ファイル名５４に、指定したファイルのフルパス情報が表示される。
【００６９】
登録ボタン５３は、表紙用ファイル名５４に表示されているファイルを登録する際に押すボタンである。登録ボタン５３を押すと、表紙用ファイル名５４に表示されているファイルが、製本印刷画像データ設定部１４により、記憶装置１０ａに表紙画像１０３ａとして保存される。但し、表紙用ファイル名５４に表示されているファイルの情報が無効である場合、所定の用紙サイズではない場合、ページ数が１ページでない場合、および既に同じ名前のファイルが表紙画像データとして登録されている場合には、登録は行われず、エラーが表示される。
【００７０】
製本印刷画像データ登録画面５０は、さらに、裏表紙画像７１のデータの取得、削除および新規登録のため、取得ボタン５７、削除ボタン５８、登録ボタン５９、裏表紙用ファイル名６０、参照ボタン６１、および裏表紙画像データ登録リスト６２を有している。
【００７１】
これら取得ボタン５７、削除ボタン５８、登録ボタン５９、裏表紙用ファイル名６０、参照ボタン６１、および裏表紙画像データ登録リスト６２の操作は、上述した取得ボタン５１、削除ボタン５２、登録ボタン５３、表紙用ファイル名５４、参照ボタン５５、および表紙画像データ登録リスト５６の操作と同様である。
【００７２】
但し、裏表紙画像データ登録リスト６２には、記憶装置１０ａに裏表紙画像１０３ｂとして概に登録されている裏表紙画像データのリストが表示される。また、登録ボタン５９を押すと、裏表紙用ファイル名６０に表示されているファイルが、製本印刷画像データ設定部１４により、記憶装置１０ａに裏表紙画像１０３ｂとして保存される。
【００７３】
製本印刷画像データ登録画面５０は、さらに、調整用画像７２のデータの取得、削除および新規登録のため、取得ボタン６３、削除ボタン６４、登録ボタン６５、調整用ファイル名６６、参照ボタン６７、および調整用画像データ登録リスト６８を有している。
【００７４】
これら取得ボタン６３、削除ボタン６４、登録ボタン６５、調整用ファイル名６６、参照ボタン６７、および調整用画像データ登録リスト６８の操作は、上述した取得ボタン５１、削除ボタン５２、登録ボタン５３、表紙用ファイル名５４、参照ボタン５５、および表紙画像データ登録リスト５６の操作と同様である。
【００７５】
但し、調整用画像データ登録リスト６８には、記憶装置１０ａに調整用画像１０３ｃとして概に登録されている調整用画像データのリストが表示される。また、登録ボタン６５を押すと、調整用ファイル名６６に表示されているファイルが、製本印刷画像データ設定部１４により、記憶装置１０ａに調整用画像１０３ｃとして保存される。
【００７６】
製本印刷画像データ登録画面５０は、また、戻るボタン６９を有している。戻るボタン６９を押すことにより、製本印刷画像データ登録画面５０からＡＥＴ編集画面３０（図５）に戻る。これにより、ＳＣＰである画像形成装置１０が提供するＡＥＴの設定が完了する。
【００７７】
＜画像形成装置の基本動作＞
次に、第１の実施の形態における画像形成装置１０がＳＣＵからサービス要求（医用画像の印刷要求）を受けた場合の基本動作について説明する。図８は、画像形成装置１０がＳＣＵからサービス要求を受けた場合の基本動作を示すフローチャートである。
【００７８】
なお、画像形成装置１０には、例えば、医師がモダリティ２００で撮影した医用画像データを含むＤＩＣＯＭデータを送信する場合のほか、情報処理装置４００の操作により、画像保存通信システム３００のデータベースから選択した医用画像データを含むＤＩＣＯＭデータを送信する場合がある。
【００７９】
ＳＣＵ（モダリティ２００または画像保存通信システム３００）は、ＴＣＰ／ＩＰにより、ネットワーク１００を介して、画像形成装置１０のＩＰアドレス、ポート番号およびＡＥＴを指定して接続要求を行う。
【００８０】
画像形成装置１０のＤＩＣＯＭデータ受信部１５は、通信部１１を介して、ＳＣＵからの接続要求を受け取る（ステップＳ１０１）。ＤＩＣＯＭデータ受信部１５は、接続要求において指定されたＡＥＴが記憶装置１０ａにＡＥＴ設定データ１０２として保存されているか否かをチェックする（ステップＳ１０２）。
【００８１】
当該ＡＥＴが記憶装置１０ａに保存されている場合には（ステップＳ１０２でＹ）、ＤＩＣＯＭデータ受信部１５は、ＤＩＣＯＭ規格に基づく接続折衝を行い（ステップＳ１０３）、続けて、医用画像データと付帯情報とを含むＤＩＣＯＭデータを受信する（ステップＳ１０４）。ＤＩＣＯＭデータ受信部１５は、受信した医用画像データおよび付帯情報をページデータ作成部１６に引き渡す。
【００８２】
ページデータ作成部１６は、接続要求で指定されたＡＥＴに対応するＡＥＴ設定データ１０２を記憶装置１０ａから読み出す。そして、読み出したＡＥＴ設定データ１０２の印刷画像調整設定１０２ａ（コントラスト３２および明度３３の各設定）に基づいて医用画像データを加工すると共に、受信したＤＩＣＯＭデータの付帯情報Ｃ１（図３）に含まれる印刷情報（レイアウト情報）に基づいて、医用画像データをページに配置する（ステップＳ１０５）。
【００８３】
ここで、レイアウト情報とは、例えば「１ページに１枚の医用画像を配置する」、「１ページに２行３列（２×３）の医用画像を配置する」といったページレイアウトの情報である。ページデータ作成部１６は、上記のように医用画像データを加工してページに配置し、ページ毎に順番の引数を付して、印刷ページデータ１０１として記憶装置１０ａに保存する（ステップＳ１０６）。ここでは、第ｎページのページデータを、ページデータ（ｎ）と表す。また、医用画像データが配置されたページを、「医用画像ページ」と称する。
【００８４】
例えば、ＤＩＣＯＭデータに５つの医用画像データが含まれていて、且つレイアウト情報が「１ページに１枚の医用画像を配置する」という内容である場合には、５ページ分の印刷ページデータ、すなわちページデータ（１）〜ページデータ（５）を記憶装置１０ａに保存する。
【００８５】
また、例えば、ＤＩＣＯＭデータに７つの医用画像データが含まれていて、且つレイアウト情報が「１ページに２行３列（２×３）に医用画像を配置する」という内容である場合には、１ページに６枚の医用画像データが配置されるため、２ページ分の印刷ページデータ、すなわちページデータ（１）〜ページデータ（２）を記憶装置１０ａに保存する。
【００８６】
ページデータ作成部１６による印刷ページデータの作成および保存が完了すると、印刷ジョブ作成部１７が、印刷ページデータ１０１と、ＡＥＴ設定データ１０２と、製本印刷画像データ１０３とにより、ＰＤＬにより印刷ジョブを作成する（ステップＳ１０７）。
【００８７】
すなわち、印刷ジョブ作成部１７は、接続要求で指定されたＡＥＴに対応するＡＥＴ設定データ１０２を記憶装置１０ａから読み出す。読み出したＡＥＴ設定データ１０２の印刷形式設定１０２ｃにおいて製本印刷形式が指定されていない場合には、ページデータ作成部１６が作成した印刷ページデータをそのまま印刷する通常形式の印刷ジョブを作成する。一方、印刷形式設定１０２ｃにおいて製本印刷形式が指定されている場合には、記憶装置１０ａから製本印刷画像データファイル名１０２ｄ、表紙画像１０３ａ、裏表紙画像１０３ｂおよび調整用画像１０３ｃを読み出し、製本印刷形式の印刷ジョブを作成する。
【００８８】
この印刷ジョブ作成部１７の処理の詳細について、以下に説明する。図９は、第１の実施の形態における印刷ジョブ作成部１７の処理（印刷ジョブを作成する処理）を示すフローチャートである。
【００８９】
まず、印刷ジョブ作成部１７は、印刷ジョブを初期化し、定型のＰＤＬを追加する（ステップＳ１１）。印刷ジョブは、処理速度の点からメモリ上で作成することが望ましいが、画像形成装置１０に大容量のメモリを搭載できない場合には、記憶装置１０ａ上に作成してもよい。
【００９０】
次に、印刷ジョブ作成部１７は、記憶装置１０ａから、指定されたＡＥＴに対応するＡＥＴ設定データ１０２の印刷形式設定１０２ｃを読み出し、製本印刷が指定されているか否かを確認する（ステップＳ１２）。
【００９１】
製本印刷が指定されている場合（ステップＳ１２でＹ）には、以下のステップＳ１３〜Ｓ２６，Ｓ３２，Ｓ３３の処理を行う。
【００９２】
まず、印刷ジョブ作成部１７は、医用画像ページ数と、表紙および裏表紙とを合わせた印刷ページ総数（ＰＡＧＥ）を求める（ステップＳ１３）。ページデータ作成部１６によってページ単位で印刷ページデータ１０１が生成されているため、印刷ページデータの数をカウントすることで、医用画像ページ数が求められる。そのページ数に、表紙と裏表紙とを合わせたページ数である２を加えることで、印刷ページ総数（ＰＡＧＥ）が求められる。
【００９３】
２つ折りの製本印刷形式では、印刷ページ総数は４の倍数である必要があるため、ステップＳ１３で求めた印刷ページ総数が４の倍数ではない場合には、最終の医用画像ページと裏表紙との間に調整用ページを挿入する必要がある。
【００９４】
そのため、印刷ジョブ作成部１７は、固定値である４から、ステップＳ１３で求めた印刷ページ総数÷４の余りを引くことによって調整用ページ数を求め、１，２，３，４のいずれかの値を得る（ステップＳ１４）。
【００９５】
次に、印刷ジョブ作成部１７は、ステップＳ１４で得られた値が４未満か否か確認する（ステップＳ１５）。値が４である場合には（ステップＳ１５でＮ）、ステップＳ１３で求めた印刷ページ総数が４の倍数となっていて調整用ページの挿入が不要であるため、後述するステップＳ１８に進む。値が４未満である場合には（ステップＳ１５でＹ）、その値に対応する数の調整用ページの挿入が必要であるため、次のステップＳ１６に進む。
【００９６】
ステップＳ１６において、印刷ジョブ作成部１７は、記憶装置１０ａから調整用画像１０３ｃを読み出し、ステップＳ１４で求めた調整用ページ数だけ、記憶装置１０ａの印刷ページデータ１０１に追加する。これにより、印刷ページデータ１０１は、医用画像データを配置したページと、調整用ページとを含むことになる。
【００９７】
例えば、ページデータ作成部１６によってｎページ分のページデータ（１）〜ページデータ（ｎ）が登録されており、ステップＳ１４で求めた調整用ページ数が３である場合は、ページデータ（ｎ＋１）、ページデータ（ｎ＋２）、ページデータ（ｎ＋３）を追加する。
【００９８】
次に、印刷ジョブ作成部１７は、ステップＳ１３で求めた印刷ページ総数（ＰＡＧＥ：医用画像ページ数と表紙および裏表紙のページ数との和）に、さらに調整用ページ数を加えることにより、印刷ページ総数（ＰＡＧＥ）の値を更新する（ステップＳ１７）。
【００９９】
次に、印刷ジョブ作成部１７は、印刷ジョブに、両面印刷であることを示すＰＤＬを追加する（ステップＳ１８）。
【０１００】
次に、印刷ジョブ作成部１７は、記憶装置１０ａから印刷トレイ設定１０２ｂを読み出し、印刷ジョブに印刷対象の媒体のサイズ（例えばＡ３）を指定するＰＤＬを追加する。印刷対象の媒体のサイズは、ページデータのサイズ（例えばＡ４）の２倍である。
【０１０１】
続くステップＳ２０〜Ｓ２６は、印刷ページデータの並び替え、および、媒体の表面および裏面に印刷ページデータを割り付ける処理を行う。
【０１０２】
すなわち、記憶装置１０ａの印刷ページデータ１０１には、医用画像データが配置されたページデータ（ページデータ（１）〜ページデータ（ｎ））および調整用のページデータ（例えば、ページデータ（ｎ＋１）〜ページデータ（ｎ＋３））が保存されているが、製本印刷形式で印刷するためには、ページの順番を入れ替える必要がある。
【０１０３】
ここで、上述した印刷ページ総数である「ＰＡＧＥ」は、医用画像ページ数（ｎ）と、表紙および裏表紙のページ数（２）と、調整用ページ数（１〜３）との和であるが、ステップＳ１５〜Ｓ１７により「ＰＡＧＥ」は４の倍数である。
【０１０４】
製本印刷形式で印刷するためには、印刷ページデータおよび表紙および裏表紙のデータを、裏表紙データ、表紙データ、ページデータ（１）、ページデータ（ＰＡＧＥ−１）、ページデータ（ＰＡＧＥ−２）、ページデータ（２）、ページデータ（３）、ページデータ（ＰＡＧＥ−３）、ページデータ（ＰＡＧＥ−４）、．．．という順に並び替える。
【０１０５】
そして、２ページ毎に、同一面の左右に割り付け印刷（集約印刷）するように印刷ジョブを生成する。そのため、印刷ジョブ作成部１７は、まず、処理中の媒体の番号を示す変数ｉを１（初期値）に設定する（ステップＳ２０）。
【０１０６】
次に、印刷ジョブ作成部１７は、変数ｉが１か否かに基づいて、１枚目の媒体の処理か否かを判断する（ステップＳ２１）。１枚目の媒体の処理であれば（ステップＳ２１でＹ）、ステップＳ２２に進み、１枚目の媒体の処理でなければ（ステップＳ２１でＮ）、ステップＳ２３に進む。
【０１０７】
ステップＳ２２において、印刷ジョブ作成部１７は、小冊子にした際に一番外側の面となる１枚目の媒体の表面を作成する。具体的には、１枚目の媒体の表面の左半分に、記憶装置１０ａから読み出した裏表紙画像１０３ｂを割り付け、右半分に、記憶装置１０ａから読み出した表紙画像１０３ａを割り付けて、印刷ジョブに追加する。
【０１０８】
ステップＳ２３において、印刷ジョブ作成部１７は、小冊子にした際に中に織り込まれる媒体の表面（媒体を折り畳むと外側を向く面）を作成する。具体的には、印刷ジョブ作成部１７は、ｉ枚目の媒体の表面の左半分に、ページデータ（ＰＡＧＥ−２（ｉ−１）−１）を割り付け、右半分に、ページデータ（２（ｉ−１））を割り付けて、印刷ジョブに追加する。
【０１０９】
なお、ステップＳ１６に関して説明したように、ページデータの順番を示す引数（例えば２（ｉ−１））がｎを超える場合には、調整用ページが割り付けられる。
【０１１０】
上記ステップＳ２２，Ｓ２３のいずれの場合も、処理が完了したのち、ステップＳ２４に進む。
【０１１１】
ステップＳ２４において、印刷ジョブ作成部１７は、媒体の裏面（媒体を折り畳むと内側を向く面）を作成する。具体的には、印刷ジョブ作成部１７は、ｉ枚目の媒体の裏面の左半分に、ページデータ（２ｉ−１）を割り付け、右半分に、ページデータ（ＰＡＧＥ−（２ｉ−１）−１）を割り付けて、印刷ジョブに追加する。
【０１１２】
次に、印刷ジョブ作成部１７は、処理中の媒体の番号を示すｉの値に１を加算する（ステップＳ２５）。
【０１１３】
次に、印刷ジョブ作成部１７は、全ページの処理が完了したか否かを判定する（ステップＳ２６）。上述したように、１枚の媒体に４ページ分のページデータを割り当てているため、媒体の番号を示す変数ｉから１を減じて４を乗じた値（４（ｉ−１））が、印刷ページ総数であるＰＡＧＥに達したか否かを判断する。全ページの処理が完了していない場合には（ステップＳ２６でＮ）、ステップＳ２１に戻り、全ページの処理が完了した場合には（ステップＳ２６でＹ）、ステップＳ３２に進む。
【０１１４】
ステップＳ３２において、印刷ジョブ作成部１７は、ステップＳ２２〜Ｓ２４で作成した印刷ジョブを出力部１８に送る。
【０１１５】
そののち、印刷ジョブ作成部１７は、処理が完了した印刷ページデータ１０１を、記憶装置１０ａから削除する（ステップＳ３３）。
【０１１６】
一方、上記のステップＳ１２において、指定されたＡＥＴについて製本印刷指定がされていない場合には（ステップＳ１２でＮ）、媒体の各表面にそれぞれ一つのページデータを割り付け、表紙、裏表紙および調整用ページの追加は行わない。
【０１１７】
この場合、印刷ジョブ作成部１７は、印刷ページ総数であるＰＡＧＥを、印刷ページデータ１０１のページデータの数（ｎ）に設定する（ステップＳ２７）。さらに、印刷ジョブ作成部１７は、処理中の媒体の番号を示す変数ｊを１（初期値）に設定する（ステップＳ２８）。
【０１１８】
次に、印刷ジョブ作成部１７は、印刷ページデータ１０１のうち、ｊ番目のページデータ（ｊ）を印刷ジョブに追加する（ステップＳ２９）。続いて、印刷ジョブ作成部１７は、処理中の媒体数を示す変数ｊに１を加える（ステップＳ３０）。
【０１１９】
次に、印刷ジョブ作成部１７は、全ページの処理が完了したか否かを判定する（ステップＳ３１）。これは、処理中の媒体の番号を示す変数ｊから１を減算した値が、上記のステップＳ２７で求めた印刷ページ総数（ＰＡＧＥ）に達したか否かにより判断する。
【０１２０】
ステップＳ３１において、全ページの処理が完了してない場合には（ステップＳ３１でＮ）、ステップＳ２９に戻り、全ページの処理が完了した場合には（ステップＳ３１でＹ）、上述したステップＳ３２に進んで出力部１８に印刷ジョブを送る。
【０１２１】
図８に戻り、印刷ジョブ作成部１７から印刷ジョブを受け取った出力部１８は、画像形成部１０ｂおよび媒体搬送部１０ｃを制御し、印刷ジョブに基づいて、媒体に製本印刷形式（両面印刷で且つ割り付け印刷）または通常の印刷形式で印刷を行う（ステップＳ１０８）。
【０１２２】
＜印刷結果＞
図１０（Ａ）〜（Ｊ）は、医用画像ページの数が５である場合の製本印刷形式での印刷結果を示す模式図である。この場合、調整用ページが１ページ挿入され、従って印刷ページデータの数は６である。
【０１２３】
まず、図１０（Ａ）に示すように、１枚目の媒体（Ｍ１とする）の表面の左半分には裏表紙を印刷し、右半分には表紙を印刷する（図９のステップＳ２２）。さらに、図１０（Ｂ）に示すように、１枚目の媒体Ｍ１の裏面の左半分には医用画像ページの１ページ目を印刷し、右半分には調整用画像を印刷する（図９のステップＳ２４）。
【０１２４】
そして、図１０（Ｃ）に示すように、２枚目の媒体（Ｍ２とする）の表面の左半分には医用画像ページの５ページ目を印刷し、右半分には医用画像ページの２ページ目を印刷する（図９のステップＳ２３）。さらに、図１０（Ｄ）に示すように、２枚目の媒体Ｍ２の裏面の左半分には医用画像ページの３ページ目を印刷し、右半分には医用画像ページの４ページ目を印刷する（図９のステップＳ２４）。
【０１２５】
このように製本印刷形式で印刷した媒体Ｍ１，Ｍ２をそれぞれ中央で２つに折り畳み、図１０（Ｅ）に示すように１枚目の媒体Ｍ１が外側、２枚目の媒体Ｍ２が内側になるように重ね合わせる。
【０１２６】
その後、２枚の媒体Ｍ１，Ｍ２をステープラー等で留めることにより、図１０（Ｆ）に示すような小冊子（ブックレット）を得ることができる。小冊子の最初のページには、表紙が印刷されている。
【０１２７】
小冊子を開くと、図１０（Ｇ）に示すように、左半分には医用画像ページの１ページ目、右ページには医用画像ページの２ページ目が印刷されている。１ページめくると、図１０（Ｈ）に示すように、左半分には医用画像ページの３ページ目、右半分には医用画像ページの４ページ目が印刷されている。
【０１２８】
さらに１ページめくると、図１０（Ｉ）に示すように、左半分には医用画像ページの５ページ目、右半分には調整用画像が印刷されている。最後のページめくると、図１０（Ｊ）に示すように、裏表紙が印刷されている。
【０１２９】
このように、媒体の表面（第１の面）に表紙と裏表紙を印刷し、裏面（第２の面）に医用画像を含むページを製本印刷形式に適したページ順序で割り付けて印刷することにより、媒体を折り畳んだ状態で医用画像が内側のページに印刷された小冊子を作成することができる。
【０１３０】
なお、図１０には、１ページに１つの医用画像を印刷した例を示したが、１ページに複数の医用画像を印刷することも可能である。図１１（Ａ）〜（Ｄ）は、１ページに２行３列（２×３）に医用画像を印刷した場合の製本印刷形式での印刷結果を示す。医用画像データの数は１４とする。この場合、医用画像ページの数は３であり、挿入する調整用ページの数は３となるため、印刷ページデータの数は６である。
【０１３１】
図１１（Ａ）に示す１枚目の媒体（Ｍ１とする）の表面は、図１０（Ａ）と同様である。図１１（Ｂ）に示す１枚目の媒体Ｍ１の裏面は、左半分に、医用画像ページの１ページ目として、２行３列（２×３）に配置した医用画像を印刷する点が、図１０（Ｂ）と異なっている。
【０１３２】
図１１（Ｃ）に示す２枚目の媒体（Ｍ２とする）の表面は、左半分に、調整用画像を印刷し、右半分に、医用画像ページの２ページ目として、２行３列（２×３）に配置した医用画像を印刷している。図１１（Ｄ）に示す２枚目の媒体Ｍ２の裏面は、左半分に、医用画像ページの３ページ目として、最後の２つの医用画像を印刷し、右半分に調整用画像を印刷する。
【０１３３】
この場合も、製本印刷形式で印刷した媒体Ｍ１，Ｍ２をそれぞれ中央で２つに折り畳み、１枚目の媒体Ｍ１が外側、２枚目の媒体Ｍ２が内側になるように重ね合わせることにより、医用画像が内側のページに印刷された小冊子を作成することができる。
【０１３４】
なお、図１０および図１１では複数の媒体を重ね合わせる例について説明したが、医用画像ページの数が１または２の場合には、１枚の媒体の両面に全ての医用画像が収まるため、一枚の媒体を折り畳むだけで小冊子を作成することができる。
【０１３５】
＜第１の実施の形態の効果＞
以上説明したように、本発明の第１の実施の形態によれば、ＤＩＣＯＭデータ受信部１５が、ＡＥＴを指定したＤＩＣＯＭデータ（すなわち医用データ）を受信すると、印刷処理部（ページデータ作成部１６、印刷ジョブ作成部１７および出力部１８）が、１枚目の媒体の表面（第１の面）に表紙と裏表紙を印刷し、裏面（第２の面）に医用画像を含むページを割り付けて印刷する。そのため、印刷後の媒体を折り畳むと、医用画像が内側のページに印刷された小冊子を作成することができる。これにより、印刷画像が第三者の目に触れることを防止でき、患者のプライバシーを保護することができる。また、媒体を封筒に入れる必要がないため、コストを低減することができる。また、医用画像を印刷する処理中に表紙および裏表紙も印刷されるため、作業効率が良い。
【０１３６】
また、医用画像を含むページが複数ページにわたる場合には、製本印刷形式に合わせてページを並び替えて印刷するため、小冊子にした場合の医用画像の読みやすさを確保することができる。
【０１３７】
また、表紙、裏表紙、および医用画像を含むページの合計ページ数が４の倍数に満たない場合には、当該合計ページ数を４で除算した余りを４から引いた数だけ、調整用ページを挿入するため、小冊子としての体裁を保つことができる。
【０１３８】
また、複数のＡＥＴのそれぞれについて、医用画像の印刷に関する印刷設定情報を記憶する記憶装置１０ａを備えているため、複数のＳＣＵ（モダリティ２００、画像保存通信システム３００など）からのサービス要求に対して、指定されたＡＥＴに基づき、記憶装置１０ａから読み出した情報をもとにサービス（医用画像の印刷）を提供することができる。
【０１３９】
また、ＤＩＣＯＭデータに含まれる情報（付帯情報Ｃ１に規定された印刷関連情報）に基づいて印刷を行うため、ＳＣＵの要求に基づく形式での印刷を行うことができる。
【０１４０】
また、記憶装置１０ａは、複数のＡＥＴのそれぞれについて、さらに、表紙、裏表紙および調整用ページを作成するための画像データを記憶しているため、サービス要求元の要請に応じた小冊子を得ることができる。
【０１４１】
また、ＡＥＴ設定データの設定、および表紙画像、裏表紙画像および調整用画像の設定を、Ｗｅｂサービスを通じて行うことができるため、サービス要求元の様々な要請に臨機応変に対応することができる。
【０１４２】
変形例．
次に、第１の実施の形態の変形例について説明する。この変形例では、ＳＣＵから画像形成装置１０に対し、図３（Ｂ）に示した、患者に関連する情報を含む付帯情報Ｃ２を含むＤＩＣＯＭデータが送られてくるものとする。患者に関連する情報とは、例えば、患者名、患者の年齢および撮影日などの情報（属性情報とも称する）を含む。
【０１４３】
図１２（Ａ）〜（Ｄ）は、図１０と同様に１ページに１つの医用画像を配置し、医用画像ページの数が５（印刷ページデータの数（ｎ）は６）である場合において、ＤＩＣＯＭデータから抽出した付帯情報Ｃ２を印刷した例を示す。
【０１４４】
この例では、図１２（Ｂ）に示すように、医用画像ページの１ページ目（１枚目の媒体の裏面の左半分）に付帯情報を印刷している。また、この例では、付帯情報を、医用画像に重畳して印刷している。図１２（Ａ）、（Ｃ）および（Ｄ）に示した表紙、裏表紙、および他の医用画像ページは、図１０（Ａ）、（Ｃ）および（Ｄ）と同様である。
【０１４５】
図１２に示した例では、医用画像ページの１ページ目に付帯情報を印刷したが、このような例に限定されるものではなく、他のページに印刷してもよい。また、図１３（Ａ）〜（Ｄ）に示すように、医用画像ページの全てに付帯情報を印刷してもよい。
【０１４６】
また、図１４に示すように、医用画像ページのうち、医用画像が印刷されていない領域に、付帯情報を印刷してもよい。また、図１５に示すように、医用画像ページではなく、表紙または裏表紙に付帯情報を印刷してもよい。
【０１４７】
図１６は、変形例におけるＡＥＴ編集画面３０Ａを示す図である。付帯情報を印刷するか否かの選択、どのページに付帯情報を印刷するかの設定、および重畳印刷を行うか否かの選択は、ＡＥＴ編集画面３０Ａで行うことができる。
【０１４８】
図１６に示すＡＥＴ編集画面３０Ａは、図５に示したＡＥＴ編集画面３０に、付帯情報の印刷を行うか否かの設定部４２と、付帯情報の印刷ページの設定部４３と、重畳印刷を行うか否かの設定部４４とを加えたものである。
【０１４９】
付帯情報の印刷ページの設定部４３は、スクロールバーで構成されており、表紙、医用画像ページの１ページ目〜ｎページ目、および裏表紙の中から任意に選択できるように構成されている。また、さらに調整用ページを選択できるようにしてもよい。
【０１５０】
図１６のＡＥＴ編集画面３０Ａにおいて、付帯情報の印刷を行うか否かの設定部４２のチェックボックスにチェックマークを付け、付帯情報の印刷ページの設定部４３でページを選択することにより、その選択したページに付帯情報を印刷することができる。また、重畳印刷を行うか否かを選択する設定部４４のチェックボックスにチェックマークを付けることにより、印刷画像に重畳して付帯情報を印刷することができる。
【０１５１】
この変形例では、上述したように、印刷関連情報を規定した付帯情報がＤＩＣＯＭデータに含まれていないため、ＡＥＴ編集画面３０Ａにおいて印刷関連情報を設定する必要がある。そのため、図１６のＡＥＴ編集画面３０Ａは、ページサイズを選択する設定部４５、ページレイアウトを選択する設定部４６を有している。
【０１５２】
設定部４５，４６は、いずれもスクロールバーで構成されている。設定部４５は、ページサイズを、例えばＡ４サイズ、Ｂ４サイズなどの中から選択できるように構成されている。設定部４６は、１ページに配置する医用画像のレイアウトを、例えば１（１ページ１つの医用画像を配置）、２×３（１ページに医用画像を２行３列に配置）などから選択できるように構成されている。
【０１５３】
図１７は、変形例における画像形成装置１０の記憶装置１０ａを示すブロック図である。図１７に示す記憶装置１０ａには、第１の実施の形態で説明した印刷画像調整設定１０２ａ、印刷トレイ設定１０２ｂ、印刷形式設定１０２ｃおよび製本印刷画像データファイル名１０２ｄに加えて、図１６のＡＥＴ編集画面３０Ａの設定部４２〜４４で設定した各設定が、付帯情報印刷設定１０２ｅとして保存される。また、図１６のＡＥＴ編集画面３０Ａの設定部４５，４６で設定した各設定は、印刷関連設定１０２ｆとして保存される。
【０１５４】
図１８は、変形例における画像形成装置１０の基本動作を示すフローチャートである。図１８に示したフローチャートにおいて、ステップＳ２０１〜Ｓ２０４の処理は、図８のフローチャートのステップＳ１０１〜Ｓ１０４と同様である。
【０１５５】
ステップＳ２０５において、ページデータ作成部１６は、記憶装置１０ａから付帯情報印刷設定１０２ｅを読み出し、付帯情報の印刷を行うか否かを判断する。付帯情報の印刷を行う場合には（ステップＳ２０５でＹＥＳ）、ＤＩＣＯＭデータから付帯情報を抽出する（Ｓ２０６）。
【０１５６】
続くステップＳ２０７では、図８に示したステップＳ１０５で説明したように医用画像を加工して各ページに配置するが、この際に、記憶装置１０ａから読み出した付帯情報印刷設定１０２ｅおよび印刷関連設定１０２ｆに基づき、当該ページに付帯情報を追加して印刷ページデータを作成する。その後のステップＳ２０８〜Ｓ２１０は、図８に示したステップＳ１０６〜Ｓ１０８と同様である。
【０１５７】
この変形例では、第１の実施の形態の効果に加えて、ＤＩＣＯＭデータに含まれる付帯情報も印刷されるため、患者に提供する情報を充実させることができる。
【０１５８】
上述した第１の実施の形態および変形例では、製本印刷形式での印刷に際し、予め定められた医用画像ページの２倍のサイズの媒体に印刷しているが、印刷する媒体のサイズを設定可能とし、媒体のサイズに合わせて医用画像ページを縮小または拡大することで、任意のサイズの小冊子を作成できるようにしても良い。
【符号の説明】
【０１５９】
１  印刷処理システム、  １０  画像形成装置、  １０ａ  記憶装置、  １０ｂ  画像形成部、  １０ｃ  媒体搬送部、  １１  通信部、  １２  Ｗｅｂサーバ部、  １３  ＡＥＴ設定部、  １４  製本印刷画像データ設定部、  １５  ＤＩＣＯＭデータ受信部、  １６  ページデータ作成部、  １７  印刷ジョブ作成部、  １８  出力部、  １００  ネットワーク、  １０１  印刷ページデータ、  １０２  ＡＥＴ設定データ、  １０２ａ  印刷画像調整設定、  １０２ｂ  印刷トレイ設定、  １０２ｃ  印刷形式設定、  １０２ｄ  製本印刷画像データファイル名、  １０２ｅ  付帯情報印刷設定、  １０２ｆ  印刷関連設定、  １０３  製本印刷画像データ、  １０３ａ  表紙画像、  １０３ｂ  裏表紙画像、  １０３ｃ  調整用画像、  ２００  モダリティ、  ３００  画像保存通信システム、  ４００  情報処理装置。
【図１】
2016103737.tif 000003
【図２】
2016103737.tif 000004
【図３】
2016103737.tif 000005
【図４】
2016103737.tif 000006
【図５】
2016103737.tif 000007
【図６】
2016103737.tif 000008
【図７】
2016103737.tif 000009
【図８】
2016103737.tif 000010
【図９】
2016103737.tif 000011
【図１０】
2016103737.tif 000012
【図１１】
2016103737.tif 000013
【図１２】
2016103737.tif 000014
【図１３】
2016103737.tif 000015
【図１４】
2016103737.tif 000016
【図１５】
2016103737.tif 000017
【図１６】
2016103737.tif 000018
【図１７】
2016103737.tif 000019
【図１８】
2016103737.tif 000020